(57)【要約】【課題】天井側設置面に固定された設置板に照明カバーを簡単な構成で取付けられるようにした照明器具を提供する。【解決手段】シーリングダウンライト（照明器具）１は、天井面に固定される平面視略円形の設置板２と、上端が開口され上端開口縁部３１ａが少なくとも円筒状の照明カバー３１を具備する。設置板２の周部に複数組のカバー支持手段３を一体に形成する。各支持手段３は、通し溝３ａ、この溝に対して周方向に離れた上向きの突片３ｂ、及びこれら通し溝と突片との間を占める受け板部３ｃを有してなる。受け板部３ｃに上向き凸部３ｆを一体に形成する。通し溝３ａを上下に通過可能な大きさで、上向き凸部３ｆと天井面に接する突片３ｂとで位置決めされた状態で受け板部３ｃの上面に引っ掛かる複数の係合凸部３２を、上端開口縁部３１ａの内周面に一体に突設する。各係合凸部３２を各受け板部３ｃに引っ掛けて照明カバー３１を設置板２に取付けたことを特徴としている。【選択図】図３
2011159472.tif 000002
【特許請求の範囲】
【請求項１】
天井側設置面に固定される平面視略円形の設置板であって、周部に複数組のカバー支持手段が一体に形成されていて、これら支持手段が、通し溝、この溝に対して周方向に離れて設けられかつ前記天井側設置面に接する上向きの突片、及びこれら通し溝と突片との間を占めて設けられた受け板部を有してなるとともに、前記受け板部に上向き凸部が一体に形成されている前記設置板と；
上端が開口されているとともに上端開口縁部が少なくとも円形をなす照明カバーであって、前記通し溝を上下に通過可能な大きさをなして前記突片と前記上向き凸部とで挟まれるように位置決めされた状態で前記受け板部の上面に引っ掛かる複数の係合凸部が、前記上端開口縁部の内周面に一体に形成されていて、これら係合凸部を前記受け板部に引っ掛けて前記設置板に取付けられる照明カバーと；
この照明カバーの内側でかつ前記設置板の下側に配設されるランプと；
を具備することを特徴とする照明器具。
【請求項２】
前記受け板部の前記通し溝側部位、又は前記照明カバーが前記設置板に取付けられる際に回動される前記照明カバーの回動方向下流側に位置される前記係合凸部の端部側部位の下面のうちの少なくとも一方が、回動方向上流側が低くかつ回動方向下流側が高くなるように斜めに形成されていることを特徴とする請求項１に記載の照明器具。
【請求項３】
前記設置板の周部に複数の上向きのストッパ片を一体に設けるとともに、これらストッパ片の夫々が、前記回動方向上流側に位置する前記各通し溝の縁をなしていることを特徴とする請求項１又は２に記載の照明器具。
【請求項４】
前記各受け板部が上下方向に弾性変形可能であり、前記各係合凸部は、前記照明カバーの上端開口縁部が天井側設置面に接した状態で前記受け板部の上面に接してこの受け板部を下方に弾性変形させる高さ位置に設けられていて、弾性変形された前記各受け板部が前記照明カバーを上向きに付勢することを特徴とする請求項１から３のうちのいずれか一項に記載の照明器具。
【発明の詳細な説明】
【技術分野】
【０００１】
本発明は、天井面等に直付けされる例えばシーリングダウンライト等の照明器具に関する。
【背景技術】
【０００２】
天井面に直付けされた器具本体にこの本体を覆うセードを取付けるのに、セードを天井面に当たるように押上げた状態で水平方向に回動させることにより、このセードを器具本体に取付けることができる照明器具が、従来技術として知られている（例えば、特許文献１参照。）。
【０００３】
この従来技術に係る照明器具では、器具本体に一対の取付けユニットを設けている。これら取付けユニットは、円筒状のケースと、このケース内に上下動可能に収容された軸部材であるボルトと、ケース外に突出されたボルトの下端部に螺設されたナットと、ボルトを上向きに付勢してボルトの頭部とケースの内底面との間に配置されたばねとで構成されている。又、セードはその上部の開口部に取付板が取付けられた構成であり、この取付板に一対のダルマ孔を設けている。
【０００４】
そのため、セードを天井面に当たるように押上げて、取付板の上面をナットの下面に押し当ててボルトを押上げた状態でセードを回転させることで、ナットをダルマ孔の大径孔に対向させると同時にばねの付勢力でナットをダルマ孔の大径孔に通して、取付板の下方にナットを突出させることができる。そして、この後、ダルマ孔の小径孔の端部がボルトに当たるまでセードを水平方向に回動させることにより、器具本体にセードを取付けることができる。
【先行技術文献】
【特許文献】
【０００５】
【特許文献１】特開２００７−２８０６８０号公報（段落００１６−００２５、図１−図５）
【発明の概要】
【発明が解決しようとする課題】
【０００６】
前記従来技術によれば、既述のように多数の部品からなる一対の取付けユニットを器具本体に取付けているとともに、これらのユニットを受ける一対のダルマ孔が形成された取付板をセードに取付け、これらにより器具本体にセードが取付けられる構成である。そのため、構造が複雑で部品点数が多くコスト高である、という課題がある。
【０００７】
したがって、本発明の目的は、天井側設置面に固定された設置板に照明カバーを簡単な構成で取付けることができる照明器具を提供することにある。
【課題を解決するための手段】
【０００８】
前記課題を解決するために、請求項１の発明は、天井側設置面に固定される平面視略円形の設置板であって、周部に複数組のカバー支持手段が一体に形成されていて、これら支持手段が、通し溝、この溝に対して周方向に離れて設けられかつ前記天井側設置面に接する上向きの突片、及びこれら通し溝と突片との間を占めて設けられた受け板部を有してなるとともに、前記受け板部に上向き凸部が一体に形成されている前記設置板と；上端が開口されているとともに上端開口縁部が少なくとも円形をなす照明カバーであって、前記通し溝を上下に通過可能な大きさをなして前記突片と前記上向き凸部とで挟まれるように位置決めされた状態で前記受け板部の上面に引っ掛かる複数の係合凸部が、前記上端開口縁部の内周面に一体に形成されていて、これら係合凸部を前記受け板部に引っ掛けて前記設置板に取付けられる照明カバーと；この照明カバーの内側でかつ前記設置板の下側に配設されるランプと；を具備することを特徴としている。
【０００９】
この発明で、天井側設置面とは、建物の屋内の天井面だけではなく、軒下の下面、棚の下面等を含んでおり、したがって、この発明は、実施形態で説明するシーリングダウンライト以外の直付け型照明器具に適用できる。この発明で、設置板は合成樹脂若しくは金属で形成でき、設置板が合成樹脂又は金属の成型品からなる場合、その通し溝、突片、及び上向き凸部は、成形型によって設けられ、又、設置板が金属のプレス成形品である場合、プレス加工によって、通し溝を切欠いて設けることができるとともに、突片を切起こして設けることができ、又、上向き凸部は突き出して設けることができる。この発明で、照明カバーは、透光性合成樹脂で好適に形成でき、その下端は閉じていても開放されていてもよい。この発明で、照明カバーの上端開口縁部から下側に連続した周壁部位は、前記上端開口縁部と同径又は異なる径の円筒であってもよく、或いは多角形状であっても差し支えない。この発明で、ランプには、ＬＥＤを発光素子として用いたＬＥＤランプ、白熱ランプ、蛍光ランプ等を用いることができる。
【００１０】
請求項１の発明の照明器具では、天井側設置面に設置板が固定されることで、各突片が天井側設置面に当たるに伴い、各受け板部の高さ位置を揃えることができる。そして、固定された設置板の下側にランプが配設された状態で、このランプを覆う照明カバーを設置板に以下の手順で取付けることができる。
【００１１】
つまり、照明カバーをその上端開口縁部が天井側設置面に当たるまで押上げつつ、この照明カバーの各係合凸部を、設置板の通し溝に上向きに通過させた後、各係合凸部が設置板の受け板部の上面に載る方向に照明カバーを回動操作する。それにより、各係合凸部が、既述のように高さ位置を揃えられた各受け板部の上面に載る。更に、照明カバーの回動の進行により、係合凸部が上向き凸部を乗り越えて設置板の突片に側方から当たるようになる。これと同時に、この突片と上向き凸部とで係合凸部が位置決めされるとともに、これらの間に位置して受け板部の上面に係合凸部が引っ掛かるので、照明カバーが設置板に取付けられる。
【００１２】
こうして照明カバーを設置板に取付けるために設置板に設けた複数のカバー支持手段は、通し溝、突片、及び上向き凸部により形成されていて、いずれも設置板に一体に形成されている。これとともに、同取付けのために照明カバーに設けた複数の係合凸部も、照明カバーに一体に形成されている。そのため、照明カバーを設置板に取付けるための専用の部品が不要で構成も簡単であるとともに、それに伴いコストも低減できる。このように請求項１の発明は、天井側設置面に固定された設置板に照明カバーを簡単な構成で取付けることができる。
【００１３】
請求項２の発明は、請求項１の発明において、前記受け板部の前記通し溝側部位、又は前記照明カバーが前記設置板に取付けられる際に回動される前記照明カバーの回動方向下流側に位置される前記係合凸部の端部側部位の下面のうちの少なくとも一方が、回動方向上流側が低くかつ回動方向下流側が高くなるように斜めに形成されていることを特徴としている。
【００１４】
この発明では、受け板部又は係合凸部の少なくとも一方に斜めの部位を設けたので、設置板の通し溝に係合凸部が上向きに通過された後に、照明カバーを回動操作する際、受け板部の通し溝側の縁に係合凸部が引っ掛かることがなく、係合凸部は受け板部の上面に円滑に載り上がることができる。そのため、照明カバーの設置板への取付け作業性を向上できる。
【００１５】
請求項３の発明は、請求項１又は２の発明において、前記設置板の周部に複数の上向きのストッパ片を一体に設けるとともに、これらストッパ片の夫々が、前記回動方向上流側に位置する前記各通し溝の縁をなしていることを特徴としている。
【００１６】
この発明では、通し溝に係合凸部が通された照明カバーを回動操作する際に、係合凸部が通し溝の縁をなしたストッパ片を乗り越えることはできない。そのため、このストッパ片により、照明カバーの回動方向を適正な方向に規制して、照明カバーを設置板に取付け
ることができるとともに、照明カバーが設置板に誤った状態で取付けられることを防止できる。
【００１７】
請求項４の発明は、請求項１から３のうちのいずれか一項の発明において、前記各受け板部が上下方向に弾性変形可能であり、前記各係合凸部は、前記照明カバーの上端開口縁部が天井側設置面に接した状態で前記受け板部の上面に接してこの受け板部を下方に弾性変形させる高さ位置に設けられていて、弾性変形された前記各受け板部が前記照明カバーを上向きに付勢することを特徴としている。
【００１８】
この発明では、設置板に照明カバーが取付けられた状態で、設置板の各受け板部が弾性変形をしていて、照明カバーが上向きに付勢されているから、この照明カバーの上端開口縁部が天井側設置面に押し付けられ、天井側設置面へ照明カバーの密着性を向上できる。そのため、この照明カバーの内側に配置されたランプから照明カバーの内周面側に出射された光の一部が、天井側設置面に漏れないようにできる。
【発明の効果】
【００１９】
請求項１の発明によれば、天井側設置面に固定された設置板に照明カバーを簡単な構成で取付けることができる、という効果がある。
【００２０】
請求項２の発明によれば、請求項１の発明において、更に、照明カバーの設置板への取付け作業性を向上できる、という効果がある。
【００２１】
請求項３の発明によれば、請求項１又は２の発明において、更に、照明カバーの回動方向が適正な方向に規制されるので、照明カバーが設置板に誤った状態で取付けられることを防止できる、という効果がある。
【００２２】
請求項４の発明によれば、請求項１から３の発明において、更に、天井側設置面への光漏れを防止できる、という効果がある。
【図面の簡単な説明】
【００２３】
【図１】本発明の第１実施形態に係るシーリングダウンライトを斜め下側から視認した状態で示す斜視図である。
【図２】第１実施形態に係るシーリングダウンライトを示す断面図である。
【図３】第１実施形態に係るシーリングダウンライトを分解して示す斜視図である。
【図４】第１実施形態に係るシーリングダウンライトを斜め上側から視認した状態で示す斜視図である。
【図５】第１実施形態に係るシーリングダウンライトを示す平面図である。
【図６】第１実施形態に係るシーリングダウンライトが備える設置板を示す斜視図である。
【図７】第１実施形態に係るシーリングダウンライトのカバー支持手段と照明カバーの係合凸部との関係を説明するための断面図である。
【図８】本発明の第２実施形態に係るシーリングダウンライトのカバー支持手段と照明カバーの係合凸部との関係を説明するための断面図である。
【発明を実施するための形態】
【００２４】
以下、本発明の第１実施形態について、図１〜図７を参照して詳細に説明する。
【００２５】
図１〜図５中符号１は直付け型の照明器具例えばシーリングダウンライトを示している。このシーリングダウンライト１は、設置板２と、シャーシ１１と、端子台１５と、ランプソケット１８と、ランプ２１と、照明カバー３１等を具備している。設置板２とシャーシ１１は器具本体を構成している。
【００２６】
設置板２は例えば金属製具体的には鉄板からなる。図３〜図６に示すように設置板２の外形形状は、その周部に後述する複数の通し溝３ａを有しているものの平面視略円形である。この設置板２の周部に複数組例えば４組のカバー支持手段３が一体に形成されている。
【００２７】
図６等に示すように各カバー支持手段３は、通し溝３ａ、突片３ｂ、及び受け板部３ｃを有してなる。
【００２８】
通し溝３ａは、設置板２の周部を略Ｌ字形状に切欠いた切り欠き溝で形成されていて、設置板２の周面に開放されている。
【００２９】
各突片３ｂは、天井側設置面例えば建物の屋内の天井面Ｃ（図２参照）に接して、各突片３ｂと後述の各ストッパ片４等を除いた設置板２の部位を、天井面Ｃから所定距離隔てるために、設置板２の周部に設けられている。すなわち、突片３ｂは、通し溝３ａに対して設置板２の周方向に離れた位置で上向きに設けられている。この突片３ｂは、前記離れた位置において例えば上向きに起こされた切り起こし片で形成されている。なお、図中符号３ｄは仕切り溝を示している。仕切り溝３ｄは設置板２の周面に開放された略Ｌ字形状の切り欠き溝で形成されていて、この仕切り溝３ｄの縁をなして突片３ｂが設けられている。
【００３０】
受け板部３ｃは、突片３ｂ及び仕切り溝３ｄと、通し溝３ａとの間を占めた設置板２の周部領域で形成されている。この受け板部３ｃの通し溝側部位３ｃｅは、通し溝３ａ側ほど低くなるように斜めに形成されている（図６及び図７参照）。言い換えれば、設置板２に後述の照明カバー３１を取付ける際にこの照明カバー３１が回動される方向（この方向を図４及び図６中矢印Ａで示す。）を基準として、この回動方向上流側が低くかつ回動方向下流側が高くなるように、通し溝側部位３ｃｅは傾斜されている。
【００３１】
受け板部３ｃはその厚み方向に弾性変形可能である。受け板部３ｃには、その通し溝側部位３ｃｅと前記突片３ｂとの間に位置して上向き凸部３ｆが一体に形成されている。上向き凸部３ｆの突出高さは、突片３ｂの突出高さより低い。この上向き凸部３ｆと突片３ｂとは、後述の係合凸部３２の出幅方向に直交する長さに略等しい距離だけ隔てられている。
【００３２】
更に、設置板２の周部に通し溝３ａの縁をなす複数のストッパ片４が一体に設けられている。これらのストッパ片４は、上向きに起こされた切り起こし片で形成されていて、通し溝３ａを間に置いて通し溝側部位３ｃｅとは反対側の縁をなしている。各ストッパ片４の突出高さは、突片３ｂの突出高さと同じかそれより低い。
【００３３】
設置板２の中央部に、例えば円形の通孔からなる電源線引き込み部５ａ（図２参照）が開口されているとともに、この電源線引き込み部５ａに嵌合してリング形の電源ブッシュ５ｂが取付けられている。
【００３４】
図２〜図６に示すように設置板２には、電源線引き込み部５ａを間に置いて一対のねじ止め凸部６，７が、設置板２の上側に突出して設けられている。一方のねじ止め部６は略だるま孔状の固定孔６ａを有している。他方のねじ止め部７は、一対の固定孔７ａ，７ｂを有している。
【００３５】
設置板２は、その下側から固定孔６ａを通って天井面Ｃにねじ込まれる図示しない取付けねじ、及び固定孔７ａ，７ｂのうちの一方を設置板２の下側から通って天井面Ｃにねじ込まれる挿入される図示しない他の取付けねじにより、天井面Ｃに固定されるようになっている。図２に示すように設置板２にはその下側に突出する複数例えば二本のスペーサ８が固定ねじ９で取付けられている。
【００３６】
シャーシ１１は、例えば金属製具体的には鉄板である。このシャーシ１１は、設置板２より小径な平らな円板からなる。このシャーシ１１は、スペーサ８を介して設置板２に連結されて、設置板２の下側に離間対向して配設されている。この連結のために、シャーシ１１を通ってスペーサ８の下端部に連結ねじ１３（図２参照）が上向きにねじ込まれている。
【００３７】
こうした連結によりシャーシ１１は設置板２と略平行に配設される。この状態で、シャーシ１１の周縁と設置板２の周縁部との間は、これら設置板２、シャーシ１１、及びスペーサ８を備えてなる器具本体の全周にわたり開放されている。又、シャーシ１１の中央部には孔等がなく閉じた状態にある。
【００３８】
端子台１５は後述の電源線をランプ２１に中継するために用いられている。この端子台１５は、シャーシ１１の上面に接してこのシャーシ１１にねじ止め等で固定されているとともに、設置板２から離れている。端子台１５はその厚み方向両側を設置板２とシャーシ１１とで覆われている。
【００３９】
端子台１５のシャーシ１１への固定位置は、設置板２の電源線引き込み部５ａに正対するシャーシ１１の中央部からずれている。端子台１５はその側面に開口された電線差込み孔１６を有している。この電線差込み孔１６には、電源ブッシュ５ｂを通って設置板２とシャーシ１１との間に引き込まれた絶縁被覆電線からなる電源線の芯線が挿入されるようになっている。なお、端子台１５には、電線差込み孔１６に挿入された電源線を電気的かつ機械的に接続するための速結端子（図示しない）が内蔵されている。
【００４０】
ランプソケット１８は、シャーシ１１の下面に図示しないねじを用いて固定されている。ランプソケット１８はＩＥＣ規格に適合するＧ５３形式の口金１９（図２参照）を有している。この口金１９にＩＥＣ規格に適合するＧ５３形式のランプ２１が取付けられている。
【００４１】
ランプ２１は、図２に示すようにランプベース２２と、金属基板２３と、例えば複数の発光部２４と、反射体２５と、ランプカバー２６等を備えている。
【００４２】
ランプベース２２はアルミダイキャスト製で、その周部に放熱フィン２２ａを有している。金属基板２３は、例えばアルミニウムのベース層とこれに積層された絶縁層とからなり、そのベース層をランプベース２２に密接させてこのランプベース２２に固定されている。
【００４３】
各発光部２４は、前記絶縁層上に実装された複数のＬＥＤ（発光ダイオード）チップと、これらのチップを封止した蛍光体入りの封止部材とを有している。これら発光部２４は、そのＬＥＤチップと蛍光体との組み合わせによって、ＬＥＤチップの発光色とこの光で励起された蛍光体が発した発光色が混じって所望の光色を発光できるが、例えば白色発光するものを使用することが好ましい。ランプ２１が点灯された状態では各発光部２４が発光し、それに伴い各ＬＥＤチップは発熱するが、この熱は金属基板２３を経由してランプベース２２に伝わり、このランプベース２２周部の放熱フィン２２ａ等から大気中に放出されるようになっている。
【００４４】
反射体２５は、金属基板２３を覆ってランプベース２２にねじ止めされている。この反射体２５は、樹脂成形品であって、各発光部２４に対してその光出射側に個別に連続する複数の反射鏡部２５ａを有していて、これら反射鏡部２５ａによりビーム角等が制御されている。ランプカバー２６は、拡散透光性の合成樹脂製であって、反射体２５を光出射側から覆ってランプベース２２に取付けられている。
【００４５】
なお、図２中符号２０はランプソケット１８に取付けられた一対の電極ピンを示している。これらの電極ピン２０と端子台１５内の速結端子とは、これらにわたって配線された図示しない絶縁被覆電線で電気的に接続されている。更に、電極ピン２０には、ランプソケット１８にランプ２１が取付けられるに伴って、このランプ２１の図示しない受電端子が接して、この受電端子と電極ピン２０が電気的に接続されるようになっている。又、受電端子は金属基板２３の絶縁層上に設けられた図示しない配線パターンの端子部に接続されていて、それにより、ランプ２１への給電が可能となっている。
【００４６】
照明カバー３１は、透光性材料好ましくは拡散透光性の合成樹脂製であり、軸方向両端が夫々開放された円筒をなしている。そのため、この照明カバー３１はその天井面側の上端開口縁部３１ａは円形に形成されている。この上端開口縁部３１ａの内周面に、複数例えばカバー支持手段３と同数、したがって、例えば４個の係合凸部３２（図３等参照）が一体に突設されている。
【００４７】
これら係合凸部３２は平面視長四角形状であり、前記通し溝３ａを上下方向に通過できる大きさに形成されている。各係合凸部３２は、照明カバー３１の上端開口縁部３１ａが天井面Ｃに接した状態で受け板部３ｃの上面に接してこの受け板部３ｃを下方に弾性変形させる高さ位置に設けられている。これら係合凸部３２の上面は、照明カバー３１の上端より若干下がっている。
【００４８】
前記構成のシーリングダウンライト１を天井面Ｃに設置する手順を説明する。
【００４９】
まず、一対のスペーサ８が予めねじ止めされているとともに、これらスペーサ８の下端に連結ねじ１３が夫々ねじ込まれている設置板２を用意し、この設置板２の電源線引き込み部５ａに、天井裏から引き込まれた電源線（図示しない）を通し、この状態で、設置板２を天井面Ｃに固定する。
【００５０】
この固定作業は、既述の通り、設置板２の下側から固定孔７ａ，７ｂのうちの一方と固定孔６ａに取付けねじを通して、これらのねじを天井面Ｃにねじ込むことで行われる。この固定により、各突片３ｂ、各ストッパ片４、及びねじ止め凸部６，７の夫々が天井面Ｃに当たって、これら突片３ｂ、ストッパ片４、及びねじ止め凸部６，７以外の設置板２の部位が、各ストッパ片４、及びねじ止め凸部６，７の高さに相当して天井面Ｃから離れて配置される。これとともに、設置板２の受け板部３ｃが多少上向きに曲がっていた場合、既述のように各突片３ｂが天井面Ｃに当たるに伴い、上向きに曲がっている受け板部３ｃが押下げられるので、各受け板部３ｃの高さ位置が揃えられる。
【００５１】
次に、シャーシ１１に予め取付けられた端子台１５の電線差込み孔１６に、引き込まれた電源線の先端部を挿入して、電源線と端子台１５を接続する。この接続後、電源線の余剰引き出し部を天井裏に押し戻しつつ、シャーシ１１を一対のスペーサ８の下端に連結ねじ１３でねじ止めする。それにより、端子台１５が取付けられた器具本体が組立てられるとともに、この器具本体が天井面に固定される。
【００５２】
この後、シャーシ１１の下側にランプソケット１８がねじ止めされるとともに、このランプソケット１８と端子台１５とが図示しない電線を用いて電気的に接続される。その上で、ランプソケット１８にランプ２１が光出射側（下側）から取付けられる。こうして、照明カバー３１以外の各部品からなるアセンブリが天井面Ｃに直付け設置される。
【００５３】
最後に、前記アセンブリを覆う照明カバー３１を以下の手順で設置板２に取付ける。
【００５４】
まず、照明カバー３１の各係合凸部３２を設置板２の各通し溝３ａに位置合わせしつつ、照明カバー３１をその上端開口縁部３１ａが天井面Ｃに当たるまで押上げて、各係合凸部３２を各通し溝３ａに通して、これら係合凸部３２を設置板２の裏側（上側）に位置させる。この状態を図７に示す。
【００５５】
次に、天井面Ｃに当たった状態を維持しながら照明カバー３１をその周方向に図３中矢印Ａ方向に沿って回動させる。この場合、照明カバー３１の回動方向上流側に位置する各通し溝３ａの縁をなして各ストッパ片４が設けられているので、前記矢印Ａと反対方向に回動操作しようとしても、各係合凸部３２は各ストッパ片４を乗り越えることはできない。これにより、照明カバー３１の回動方向は適正方向（図３中矢印Ａ方向）に規制される。そのため、各ストッパ片４がない場合のように、通し溝３ａを境に受け板部３ｃと反対側に係合凸部３２が引っ掛かって、照明カバー３１が誤った状態で設置板２に取付けられることが防止されるとともに、照明カバー３１を適正方向に確実に回動操作させることができる。
【００５６】
この場合、既に説明したように各突片３ａにより各受け板部３ｃの高さ位置が揃えられている。しかも、受け板部３ｃの通し溝側部位３ｃｅは、通し溝３ａ側ほど下がるように斜めに形成されている。そのため、照明カバー３１が適正方向に回動操作された際に、回動操作の初期に受け板部３ｃの通し溝側の縁に係合凸部３２が引っ掛からないようにできる。したがって、照明カバー３１の回動操作によって係合凸部３２は受け板部３ｃの上面に円滑に載り上がる。
【００５７】
又、こうした適正方向への照明カバー３１の回動操作は、既述のように照明カバー３１の上端が天井面Ｃに接した状態で行われ、この条件下での係合凸部３２の受け板部３ｃの夫々の高さ位置の関係によって、受け板部３ｃの上面に接した各係合凸部３２が各受け板部３ｃを下側に押して、これら受け板部３ｃを夫々弾性変形させる。
【００５８】
こうして受け板部３ｃを弾性変形させながら照明カバー３１は回動操作される。そして、この回動の終期に、各係合凸部３２が、受け板部３ｃの上向き凸部３ｆを乗り越える。その直後に、各係合凸部３２が突片３ｂに当たって照明カバー３１の回動が阻止されるとともに、各係合凸部３２突片３ｂと上向き凸部３ｆとの間に配置される。それにより、通し溝３ａと突片３ｂとの間を占める受け板部３ｃの上面に各係合凸部３２が引っ掛かって、照明カバー３１が設置板２に取付けられる。
【００５９】
こうしてシーリングダウンライト１の天井面Ｃヘの全ての取付け作業が完了し、天井面Ｃに直付けされた状態を図２に示す。この状態で、ランプ２１のランプカバー２６は図１に示すように照明カバー３１の光出射側開口（図では下端開口）３３に対向している。
【００６０】
前記構成のシーリングダウンライト１は、以上の手順で照明カバー３１を設置板２に取付けるために設置板２に設けた複数のカバー支持手段３が、通し溝３ａ、突片３ｂ、及び上向き凸部３ｆにより形成されていて、いずれも設置板２に一体に形成されている。これとともに、同取付けのために照明カバー３１に設けた複数の係合凸部３２も、照明カバー３１に一体に形成されている。
【００６１】
そのため、照明カバー３１を設置板２に取付けるための専用の部品が不要で構成も簡単である。それに伴いコストも低減できる。
【００６２】
又、以上のように設置板２に照明カバー３１が取付けられた状態では、設置板２の各受け板部３ｃが弾性変形をしていて、照明カバー３１は上向きに付勢されている。それにより、照明カバー３１の上端開口縁部３１ａ全体が天井面Ｃに押し付けられて、天井面Ｃへの照明カバー３１の密着性を向上できる。したがって、シーリングダウンライト１を点灯させた状態で、ランプ２１のランプカバー２６の周面から照明カバー３１の内周面側に出射された光の一部が、天井面Ｃに漏れないようにできる。
【００６３】
更に、設置板２に取付けられた照明カバー３１の各係合凸部３２は、設置板２の突片３ｂと上向き凸部３ｆとで挟まれるような状態で、受け板部３ｃに引っ掛かっているとともに、受け板部３ｃが弾性変形された状態にあるので、照明カバー３１に振動が作用した場合に、各係合凸部３２が各上向き凸部３ｆを不用意に乗り越えることが抑制される。したがって、照明カバー３１を不用意に脱落しないように保持できる。
【００６４】
そして、照明カバー３１を外す場合には、既述の取付け手順と逆の手順で行うことができる。この場合、照明カバー３１の各係合凸部３２が、各上向き凸部３ｆを乗り越えた後、ストッパ片４に当たって通し溝３ａに対向した状態に位置決めされるので、各係合凸部３２が各通し溝３ａを横切って水平方向に通過することがない。したがって、前記位置決め状態から照明カバー３１を引下げることで、各係合凸部３２を各通し溝３ａに容易に通して照明カバー３１を設置板２から外すことができる。
【００６５】
図８は本発明の第２実施形態を示している。第２実施形態は、以下説明する事項以外は図８に示されない構成を含めて第１実施形態と同じであるので、第１実施形態と同じ構成については第１実施形態と同一符号を付してその説明を省略する。
【００６６】
第２実施形態では、受け板部３ｃに斜めの通し溝側部位を設けることに代えて、これと同機能をなす斜面３２ａを各係合凸部３２に夫々設けている。そのため、受け板部３ｃは平らに形成されている。そして、斜面３２ａは、第１実施形態で説明した設置板に照明カバーを取付ける際に、この照明カバーの回動方向下流側に位置される係合凸部３２の端部側部位３２ｂの下面に設けられている。この斜面３２ａは、照明カバーの回動方向上流側が低くかつ前記回動方向下流側が高くなるように斜めに形成されている。
【００６７】
こうした構成によって、受け板部３ｃが平らであるにも拘らず、照明カバーが矢印Ａで示す適正方向に回動操作された際に、回動操作の初期に受け板部３ｃの通し溝側の縁に係合凸部３２が引っ掛からないようにできる。それにより、照明カバーの回動操作によって係合凸部３２を受け板部３ｃの上面に円滑に載り上げさせることができる。
【００６８】
以上説明した事項以外の構成及び作用は第１実施形態と同じである。したがって、この第２実施形態でも本発明の課題を解決することができる。
【符号の説明】
【００６９】
１…シーリングダウンライト（照明器具）、２…設置板、３…カバー支持手段、３ａ…通し溝、３ｂ…突片、３ｃ…受け板部、３ｃｅ…受け板部の通し溝側部位、３ｆ…上向き凸部、Ｃ…天井面（天井側設置面）、４…ストッパ片、２１…ランプ、３１…照明カバー、３１ａ…照明カバーの上端開口縁部、３２…係合凸部、３２ａ…係合凸部の斜面、３２ｂ…係合凸部の端部側部位
【図１】
2011159472.tif 000003
【図２】
2011159472.tif 000004
【図３】
2011159472.tif 000005
【図４】
2011159472.tif 000006
【図５】
2011159472.tif 000007
【図６】
2011159472.tif 000008
【図７】
2011159472.tif 000009
【図８】
2011159472.tif 000010